(57)【要約】【課題】操作パネル上の絵や文字を拡大して使用者に見易くすることが可能であり、尚且つ、不使用時には操作の邪魔になることもなく、埃や傷も付き難い拡大光学装置を備える画像読取形成装置を提供すること。【解決手段】原稿搬送装置２と、操作パネル６を拡大表示可能な拡大光学装置４とを備えた画像読取形成装置１であって、前記原稿搬送装置２に前記拡大光学装置４を出退自在に格納する格納部５を設けてある画像読取形成装置。【選択図】        図２
2006332766.tif 000002
【特許請求の範囲】
【請求項１】
原稿搬送装置と、操作パネルを拡大表示可能な拡大光学装置とを備えた画像読取形成装置であって、
前記原稿搬送装置に前記拡大光学装置を出退自在に格納する格納部を設けてある画像読取形成装置。
【請求項２】
前記原稿搬送装置の原稿排紙トレーの下側に前記拡大光学装置の前記格納部を設けてある請求項１に記載の画像読取形成装置。
【請求項３】
原稿搬送装置又は原稿押さえ部材と、操作パネルを拡大表示可能な拡大光学装置とを備えた画像読取形成装置であって、
前記操作パネルの下方に前記拡大光学装置を出退自在に格納する格納部を設けてある画像読取形成装置。
【請求項４】
前記拡大光学装置が前記操作パネルの上方で、上下方向に移動可能に取付けられている請求項１〜３のいずれか１項に記載の画像読取形成装置。
【請求項５】
前記拡大光学装置が前記操作パネルの長手方向に移動可能に取付けられている請求項１〜４のいずれか１項に記載の画像読取形成装置。
【請求項６】
前記拡大光学装置に、前記操作パネルを照らす照明部が設けられている請求項１〜５のいずれか１項に記載の画像読取形成装置。
【請求項７】
前記拡大光学装置を前記格納部から引き出した際に、前記原稿搬送装置又は前記原稿押さえ部材の開閉をロックにするロック機構が設けられている請求項１〜６のいずれか１項に記載の画像読取形成装置。
【発明の詳細な説明】
【技術分野】
【０００１】
本発明は、原稿搬送装置と、操作パネルを拡大表示可能な拡大光学装置とを備えた画像読取形成装置に関する。
【背景技術】
【０００２】
現在市販されている複写機には、ファクシミリ、プリンター、スキャナ等の他の機能がさらに具備されているものがあり（多機能型のデジタル複合機）、操作パネル上における入力内容も多様化している。詳細には、操作パネル上の入力項目や入力ボタンの数が増加しており、その分そうした文字やボタンの大きさが小型化している。そのため、特に視力の低下した年配者等にとっては、操作パネル上の文字やボタンが見難く、誤操作等が生じやすいという問題が生じていた。
このような問題を解決するために、操作パネル上に拡大光学系（フレネルレンズ等）を設けてその表示内容を見易くしたものがある（特許文献１参照）。
【０００３】
【特許文献１】特開２００３−２５９０５０号公報
【発明の開示】
【発明が解決しようとする課題】
【０００４】
しかしながら、フレネルレンズが常時露出している状態にあるので、フレネルレンズを使用しない時にはかえって操作の邪魔になったり、また、レンズに埃や傷等が付き易く、拡大像が見難くなる虞があった。
【０００５】
本発明は、上記実情に鑑みてなされたものであって、操作パネル上の絵や文字を拡大して使用者に見易くすることが可能であり、尚且つ、不使用時には操作の邪魔になることもなく、埃や傷も付き難い拡大光学装置を備える画像読取形成装置を提供するものである。
【課題を解決するための手段】
【０００６】
本発明の第１特徴構成は、原稿搬送装置と、操作パネルを拡大表示可能な拡大光学装置とを備えた画像読取形成装置であって、前記原稿搬送装置に前記拡大光学装置を出退自在に格納する格納部を設けてある点にある。
【０００７】
〔作用及び効果〕
本発明の画像読取形成装置には、操作パネルを拡大表示可能な拡大光学装置が設けられているので、視力の低下した年配者等にとっても、操作パネル上の文字（又は絵）やボタンの表示が見易く、誤操作等が生じ難い。
尚、本発明でいう原稿搬送装置とは、操作パネル設置位置のすぐ上方に設けられており（一般的には画像読取形成装置の最上部に設けられている）、多数枚のシート原稿を自動的に１枚ずつ送り、読み込みを実施し得る装置をいう。
従って、そのような原稿搬送装置に前記拡大光学装置を出退自在に格納する格納部を設けてあるので、拡大光学装置を使用しないときには、格納部に格納しておけば、操作の際に邪魔になることもなく、尚且つ埃や傷等も付き難くなる。
また、拡大光学装置を格納部より引き出して使用する際、その拡大光学装置と操作パネルとの間に、使用者の指が入るほどの適度な隙間が生じるような構成とすることも可能なので、操作パネルの拡大像を見ながら入力操作等をすることができるようになり、より一層使い易いものとなる。
【０００８】
本発明の第２特徴構成は、前記原稿搬送装置の原稿排紙トレーの下側に前記拡大光学装置の前記格納部を設けてある点にある。
【０００９】
〔作用及び効果〕
原稿排紙トレーの下側は、デッドスペースになっている場合が多く、そのデッドスペースに格納部を設ける構成とすれば、装置内空間の有効利用が図れ、画像読取形成装置を大型化せずに、拡大光学装置を取付けることができる。
【００１０】
本発明の第３特徴構成は、原稿搬送装置又は原稿押さえ部材と、操作パネルを拡大表示可能な拡大光学装置とを備えた画像読取形成装置であって、前記操作パネルの下方に前記拡大光学装置を出退自在に格納する格納部を設けてある点にある。
〔作用及び効果〕
本発明の画像読取形成装置には、操作パネルを拡大表示可能な拡大光学装置が設けられているので、視力の低下した年配者等にとって、操作パネル上の文字（又は絵）やボタンの表示が見易く拡大されるので、誤操作等が生じ難い。
操作パネルの下方に前記拡大光学装置を出退自在に格納する格納部を設けてあるので、拡大光学装置を使用しないときには、格納部に格納しておけば、操作の際に邪魔になることもなく、尚且つ埃や傷等も付き難くなる。
尚、本発明の画像読取形成装置は、操作パネルの上方に、上述のような原稿搬送装置を備えるものだけでなく、代わりに原稿押さえ部材が備えられているものであっても良い。つまり、操作パネルの上方に格納部を設けるスペースを確保し難い画像読取形成装置（原稿押さえ部材が備えられている画像読取形成装置等）においても、拡大光学装置を設けることが可能である。
【００１１】
本発明の第４特徴構成は、前記拡大光学装置が前記操作パネルの上方で、上下方向に移動可能に取付けられている点にある。
〔作用及び効果〕
拡大光学装置が、操作パネルの上方で上下方向に移動可能に取付けられているので、拡大される操作パネル上の文字（又は絵）やボタンの表示を、使用者にとって見易い大きさに適宜調整することができる。
【００１２】
本発明の第５特徴構成は、前記拡大光学装置が前記操作パネルの長手方向に移動可能に取付けられている点にある。
〔作用及び効果〕
拡大光学装置が、操作パネルの長手方向に移動可能に取付けられているので、操作パネル全面を覆うような大きさの拡大光学装置を設ける必要がなく、製造コストの削減につながる。
【００１３】
本発明の第６特徴構成は、前記拡大光学装置に、前記操作パネルを照らす照明部が設けられている点にある。
〔作用及び効果〕
拡大光学装置に、操作パネルを照らす照明部が設けられているので、拡大された操作パネル上の文字（又は絵）やボタンの表示が、照明部により照らされてより一層見易くなる。
【００１４】
本発明の第７特徴構成は、前記拡大光学装置を前記格納部から引き出した際に、前記原稿搬送装置又は前記原稿押さえ部材の開閉をロックにするロック機構が設けられている点にある。
〔作用及び効果〕
拡大光学装置を格納部から引き出した際に、原稿搬送装置又は原稿押さえ部材の開閉をロックにするロック機構が設けられているので、拡大光学装置の格納し忘れを防止する一つのきっかけになり得ると共に、特に、格納部が原稿搬送装置に設けられている場合には、拡大光学装置が引き出されて露出したまま原稿搬送装置が開閉されることがないので、原稿搬送装置の開閉の際に拡大光学装置が周りの人や物に当って破損する虞がなく、安全である。
【発明を実施するための最良の形態】
【００１５】
以下に本発明の実施の形態を図面に基づいて説明する。
〔実施形態〕
本発明における画像読取形成装置とは、複写機能のみを具備する一般的な複写機や、ファクシミリ、プリンター、スキャナ等といった他の機能がさらに具備されている多機能型複合機を意味する。図１は、そのような本発明の画像読取形成装置の一例である多機能型デジタル複合機１を示す外観斜視図である。
図１のデジタル複合機１は、概して言えば、多枚数のシート原稿を自動的に１枚ずつ送り画像データの読み取りを行う原稿搬送装置２と、外装ケース本体３とを備えている。
【００１６】
原稿搬送装置２には、原稿を載置するための原稿載置台２ａが設けられており、原稿載置台２ａに原稿を載置しスタートキーを押すと、原稿搬送装置２が原稿を１枚ずつ読み取り、読み取った原稿を原稿載置台の下方に設けられた原稿排紙トレー２ｂ上に排出する。尚、原稿排紙トレー２ｂの下側には、操作パネルを拡大表示可能な拡大光学装置４を格納するための格納部５が設けられており、その幅の大きさは、操作パネル６の長手方向の幅と同じ程度の大きさである。
【００１７】
操作パネル６（使用者が操作条件等を入力するための液晶表示パネル６ａ、ファクシミリ送信する際に使用する短縮ダイヤル６ｂ、テンキー６ｃ、スタートキー６ｄ等を備える）は、外装ケース本体３の上部から前面側に突出するように設けられている。
【００１８】
なお、外装ケース本体３の内部には、外部ファクシミリやＰＣ（パーソナルコンピュータ）から画像データを受信するインターフェイス等の画像受信部（図示せず）、読み取った画像データや受信した画像データに基づいて用紙に画像を形成するための感光体やトナー等を備えた画像形成部（図示せず）、用紙を搬送するための用紙搬送機構部（図示せず）並びに各種用紙を積載する給紙カセット７等が収納される。
【００１９】
また図１は、拡大光学装置４を格納部５から引出したときの様子を示している。拡大光学装置４は、必要の際には随時、格納部５から拡大光学装置４を引き出し、使用後は再び格納部５内に格納することが可能である。
【００２０】
拡大光学装置４は、レンズ部材４ａ（例えば、通常の凸レンズを適用することも可能であるが、好ましくは、フレネルレンズのような大面積の薄板状のものが望ましい）、レンズ部材４ａを支持する枠部材４ｂ、枠部材４ｂを支持する軸部材４ｃ、並びに軸部材４ｃを支持する支持アーム部材４ｅとから構成される。尚、軸部材４ｃは、枠部材４ｂに設けられた中空孔４ｄを貫通しており、ヒンジ部９を形成している。また、軸部材４ｃは、格納部５の幅と同じ程度の長さを有し、その両端部を支持アーム部材４ｅによって固定されている（従って、軸部材４ｃは軸心周りに回転しない）。
【００２１】
図２（イ）は、拡大光学装置４を格納部５に格納したときの様子を示した断面図である。格納部５内には、支持アーム部材４ｅを上下方向に支持固定し得る固定部８が設けられている。支持アーム部材４ｅは、固定部８を通過可能であるが、支持アーム部材４ｅの末端に設けられている拡径部４ｆは、固定部８を通過することができない構成となっている。
【００２２】
図２（ロ）に示されるように、拡大光学装置４を引き出す際、支持アーム部材４ｅの拡径部４ｆが固定部８に引っ掛かって抜けが防止され、レンズ部材４ａが、丁度操作パネル６の上方に位置するように構成され、操作パネル６上の液晶表示パネルの文字（又は絵）、短縮ダイヤルボタンの表示、あるいはテンキー等を拡大表示することができる。
【００２３】
図３（イ）及び（ロ）は、軸部材４ｃと中空孔４ｄとにより構成されるヒンジ部９の断面図である。中空孔４ｄの形状は、所定の孔径をもつ基礎円４２ｄの部分を有し、さらに、この基礎円４２ｄにおける約１２０度の間隔毎に、円弧形状をなして径方向へ凹み形成された３つの逃がし部４３ｄが軸心方向全体にわたって設けられている。
【００２４】
これに対し、軸部材４ｃの外径は中空孔４ｄの基礎円４２ｄの孔径よりも充分に小さく設定されている。また、軸部材４ｃの外周面にもその軸心方向全体にわたって約１２０度間隔毎に３つの当接部４１ｃが径方向へ突出している。
そして、図３（イ）に示されるように、各当接部４１ｃが逃がし部４３ｄと整合するような位置関係にあるときには、中空孔４ｄと軸部材４ｃとの間に隙間が生じ、枠部材４ｂが軸部材４ｃの軸方向に自由に移動できるようになる（つまり、レンズ部材４ａが、操作パネル６の長手方向に自由に移動可能となる）。
【００２５】
そして、レンズ部材４ａを軸部材４ｃの軸周りにさらに回転させると、図３（ロ）に示されるように、各当接部４１ｃは中空孔４ｄの基礎円４２ｄ上に位置するようになる。ここで、軸部材４ｃの中心軸から各当接部４１ｃの先端に至るまでの距離は、基礎円４２ｄの半径より僅かに長めにしてある。したがって、各当接部４１ｃは基礎円４２ｄの周面に対して圧接することとなり、レンズ部材４ａの角度が固定される。なおこの構成により、基礎円４２ｄの円弧に当接部４１ｃが当接し得る範囲で、レンズ部材４ａの角度を上下に調節することができるので、レンズ部材４ａ上に拡大される操作パネル上の液晶表示パネルの文字（又は絵）、短縮ダイヤルボタンの表示、あるいはテンキー等文字（又は絵）やボタンの表示を、使用者にとって見易い大きさに適宜調整することができる。尚、当接部４１ｃ、逃し部４３ｄ及び基礎円４２ｄの円弧の形状・数・配置・長さ等は、上述の記載や図示したものに限定されるものではなく、より扱い易くなるよう適宜変更する（例えば、逃し部４３ｄの数を減少させて基礎円４２ｄの円弧長を長くするなど）ことが可能である。
使用後は、レンズ部材４ａを水平に戻し、拡大光学装置４全体を格納部５に押し込んで格納する。
【００２６】
また、レンズ部材４ａ（枠部材４ｂ）の大きさと軸部材４ｃの長さは、操作パネル６上に表示される文字又は絵（液晶表示パネルの文字（又は絵）、短縮ダイヤルボタンの表示、あるいはテンキー等）を拡大し得、尚且つ格納部５に格納可能であるような構成であれば、それらの大きさや長さについては任意であるが（例えば、操作パネル６全面を覆い得る大きさのレンズ部材４ａを使用して、操作パネル６の長手方向にレンズ部材４ａを移動する必要のない構成としてもよい）、格納部５に格納可能であり尚且つ操作パネル６上に表示される文字又は絵の中で所望される（例えば使用頻度の高いもの）ものだけを拡大表示し得るようにレンズ部材４ａ（枠部材４ｂ）の大きさや軸部材４ｃの長さを設定しても良い。
【００２７】
(別実施形態)
図５は、本発明の別実施形態を示す斜視図である。この別実施形態における画像読取形成装置の操作パネル６の上方には、本実施形態の原稿搬送装置２に代わり、原稿押さえ部材２ａを備えている。
【００２８】
この別実施形態における拡大光学装置４を格納する格納部５は、操作パネルの下側（操作パネル支持台１０）に設ける構成としている。つまり、上述の本実施形態の場合と異なり、操作パネル６の上方に格納部５を設けるスペースを確保し難い画像読取形成装置においても、拡大光学装置４を設けることが可能である。
拡大光学装置４は、レンズ部材４ａ、レンズ部材４ａを支持する枠部材４ｂ、枠部材４ｂと接続されるフレキシブルアーム部材４ｇ、並びにフレキシブルアーム部材を操作パネル支持台に支持する支持部材４ｈとから構成される。
【００２９】
フレキシブルアーム部材４ｇは、随時、任意方向に屈曲させて、その姿勢を保持し得る構造となっている。尚、フレキシブルアーム部材４ｇの長さやレンズ部材４ａ（枠部材４ｂ）の大きさは操作パネル６上表示される文字又は絵（液晶表示パネルの文字（又は絵）、短縮ダイヤルボタンの表示、あるいはテンキー等）を拡大し得、尚且つ格納部５に格納可能であるような構成であれば、それらの長さや大きさについては任意であるが、格納部５に格納可能であり尚且つ操作パネル６上に表示される文字又は絵の中で所望される（例えば、使用頻度の高いもの）ものだけを拡大表示し得るようにレンズ部材４ａの大きさやフレキシブルアーム部材４ｇの長さを設定しても良い。
【００３０】
上述のような構成を採用することにより、拡大光学装置４を使用する際、レンズ部材４ａを、使用者にとってその拡大像が見易くなるような位置（操作パネルの長手方向）や高さ（操作パネルの上下方向）に自由に移動させることができると共に、レンズ部材４ａと操作パネル６との隙間に使用者の指を入れて、その拡大像を見ながら入力操作等を実施することも可能である。
【００３１】
〔その他の実施形態〕
１．上述の本実施形態や別実施形態では、格納部を、原稿排紙トレーの下側又は操作パネル支持台に設けてある構成としてあるが、格納部を設ける位置をこれらの位置に限定するものでなく、随時、拡大光学装置を操作パネル上に引き出して使用することが可能で、尚且つ使用後は少なくともレンズ部材を確実に格納し得る位置に設けてある構成であればその設置位置は任意である。
２．本発明の画像読取形成装置における拡大光学装置は、例えば、レンズ部材を支持する枠部材に、操作パネルを照らす照明部（例えば、ＬＥＤなど）を設ける構成としても良い。
３．本発明の画像読取形成装置において、拡大光学装置を格納部から引き出した際、原稿搬送装置又は原稿押さえ部材の開閉をロックするロック機構が備えられている構成としても良い。
【図面の簡単な説明】
【００３２】
【図１】本発明のデジタル複合機（拡大光学装置を格納部から引出したときの様子）を示す外観斜視図
【図２】本発明における拡大光学装置を格納部に格納したとき（イ）及び引き出したとき（ロ）の様子を示した断面図
【図３】本発明における軸部材と中空孔とにより構成されるヒンジ部の断面図
【図４】本発明の別実施形態を示す斜視図
【符号の説明】
【００３３】
１  デジタル複合機
２  原稿搬送装置
２ａ  原稿押さえ部材
２ａ  原稿載置台
２ｂ  原稿排紙トレー
３  外装ケース本体
４  拡大光学装置
４ａ  レンズ部材
４ｂ  枠部材
４ｃ  軸部材
４１ｃ  当接部
４ｄ  中空孔
４２ｄ  基礎円
４３ｄ  逃し部
４ｅ  支持アーム部材
４ｆ  拡径部
４ｇ  フレキシブルアーム部材
４ｈ  支持部材
５  格納部
６  操作パネル
６ａ  液晶表示パネル
６ｂ  短縮ダイヤル
６ｃ  テンキー
６ｄ  スタートキー
７  給紙カセット
８  固定部
９  ヒンジ部
１０  操作パネル支持台
【図１】
2006332766.tif 000003
【図２】
2006332766.tif 000004
【図３】
2006332766.tif 000005
【図４】
2006332766.tif 000006